(57)【要約】【課題】  蓋を閉鎖状態で係止する構造を有するものにおいて、洗濯物出入口の大きさを大きくできるようにする。【解決手段】  差込受部１４に差込まれた被係止部１０を係止部材２４により係止することで、蓋５を閉鎖状態に係止（ロック）するもので、その差込受部１４を機本体１の洗濯物出入口４の縁部４ａに設けると共に、その洗濯物出入口４を縁部４ａが差込受部１４より外側に位置するように形成した。それにより、差込受部１４を設けるスペースを機本体１の洗濯物出入口４近く（洗濯物出入口４の縁部４ａからやゝ離れた部分）に確保する必要がなく、その分、洗濯物出入口４の大きさを大きくできる。【選択図】  図１
2006026276.tif 000002
【特許請求の範囲】
【請求項１】
洗濯物出入口を有する機本体と、
この機本体に前記洗濯物出入口を開閉するように設けられた蓋と、
この蓋に設けられた被係止部と、
前記機本体に設けられ、前記被係止部が前記蓋の閉鎖によって差込まれる被差込部を有する差込受部と、
この差込受部に差込まれた前記被係止部を係止する係止部材とを具備するものにおいて、
前記差込受部を前記機本体の洗濯物出入口の縁部に設けると共に、その洗濯物出入口を縁部が差込受部より外側に位置するように形成したことを特徴とする洗濯機。
【請求項２】
差込受部が、突端部に面取りを施されていることを特徴とする請求項１記載の洗濯機。
【請求項３】
差込受部が、機本体とは別体の部品から成って、機本体に装着されることを特徴とする請求項１記載の洗濯機。
【請求項４】
被係止部が、蓋とは別体の部品から成って、蓋に装着されることを特徴とする請求項１記載の洗濯機。
【発明の詳細な説明】
【技術分野】
【０００１】
本発明は、蓋を閉鎖状態で係止する構造を有する洗濯機に関する。
【背景技術】
【０００２】
近年、洗濯機においては、蓋を閉鎖状態で係止する構造を有するものが供されている。このものは、例えば洗濯物を乾燥させる乾燥機能を有するもので、使用者が不用意に蓋を開けてしまって乾燥のための温風に触れることを避けるためであり、構成では、機本体が有する洗濯物出入口を開閉するように設けられた蓋が突片状の被係止部を有し、これに対して、機本体にはその被係止部が蓋の閉鎖によって差込まれる穴又は溝形状の被差込部を有する差込受部が設けられると共に、その差込受部に差込まれた被係止部を係止する係止部材が設けられている。
【特許文献１】特開２００３−３１１０８８号公報
【発明の開示】
【発明が解決しようとする課題】
【０００３】
従来のものの場合、上記差込受部は、機本体の洗濯物出入口近く（洗濯物出入口の縁部からやゝ離れた部分）に設けられている。このため、その差込受部を設けるスペースを機本体の洗濯物出入口近くに確保する必要があり、その分、洗濯物出入口の大きさが小さく制限され、その結果、洗濯物の出し入れ性の面で不利になるという事情にあった。
【０００４】
本発明は上述の事情に鑑みてなされたものであり、従ってその目的は、蓋を閉鎖状態で係止する構造を有するものにおいて、洗濯物出入口の大きさを大きくでき、洗濯物の出し入れ性を良くできる洗濯機を提供するにある。
【課題を解決するための手段】
【０００５】
上記目的を達成するために、本発明の洗濯機においては、洗濯物出入口を有する機本体と、この機本体に前記洗濯物出入口を開閉するように設けられた蓋と、この蓋に設けられた被係止部と、前記機本体に設けられ、前記被係止部が前記蓋の閉鎖によって差込まれる被差込部を有する差込受部と、この差込受部に差込まれた前記被係止部を係止する係止部材とを具備するものにおいて、前記差込受部を前記機本体の洗濯物出入口の縁部に設けると共に、その洗濯物出入口を縁部が差込受部より外側に位置するように形成したことを特徴とする。
【発明の効果】
【０００６】
上記手段によれば、差込受部を機本体の洗濯物出入口の縁部に設けると共に、その洗濯物出入口を縁部が差込受部より外側に位置するように形成したことにより、洗濯物出入口の大きさが差込受部の配置で小さく制限されるということがなくなり、その大きさを大きくできる。よって、洗濯物の出し入れ性も良くすることができる。
【発明を実施するための最良の形態】
【０００７】
以下、本発明の一実施例（一実施形態）につき、図面を参照して説明する。
まず、図１は洗濯機の上部を平面図で表しており、図２は洗濯機の上部を斜視図で表している。これらの図から明らかなように、洗濯機の機本体１は、外箱２にトップカバー３を被着して構成しており、その内部に、洗濯物の洗濯と脱水及び乾燥（特には、温風による乾燥）を行うための機構（図示せず）を配設している。
【０００８】
トップカバー３は、中央部に上記洗濯物を出し入れするための洗濯物出入口４を有しており、この洗濯物出入口４は、この場合、後部が弦状を成す弦月形としている。トップカバー３には又、洗濯物出入口４を開閉する蓋５を後部で上下回動可能に枢支しており、その後部には、更にバックカバー６を被着し、他方、前部に操作パネル７を装着している。操作パネル７は、洗濯機の運転に係る操作を使用者が行うための操作キー８を多数有している。
【０００９】
蓋５は、この場合、前側部５ａと後側部５ｂとの二つ折り構造で、その前側部５ａの前部の中央部に手掛部９を形成し、これの右隣部の裏側に図１に示す被係止部１０を設けている。この被係止部１０は、この場合、詳細には図３に示すように、蓋５（前側部５ａ）とは別体の部品から成るものであり、それを、左右の両側に張出し形成したつば部１０ａにて、蓋５の上記手掛部９の右隣部の裏側に形成した左右対称の溝部１１に後方より差込み、その後方部に形成したストッパ１２に係止させることにより、図４及び図５に示すように、蓋５にこれより下方へ突出する突片状に一体化している。又、この被係止部１０は、中空にて、更に左右両側のうちの内側である図中左側が開放しており、そして、ほゞ中央部に左右に開通する被係止孔１３を有している。
【００１０】
これに対して、前記機本体１、特にトップカバー３には、差込受部１４を設けている。この差込受部１４は、この場合、詳細には図６に示すように、トップカバー３（機本体１）とは別体の部品から成るものであり、それを、トップカバー３の前記洗濯物出入口４の縁部４ａ、特には上記蓋５の被係止部１０と対応する前部の中央部の右隣の部分に形成した、上下に開通する穴部１５に下方より差込んで係止又はねじ止めすることにより、図７及び図８に示すように、トップカバー３にこれの洗濯物出入口４の内方に突出する突起状に一体化している。そして、その結果、洗濯物出入口４は、縁部４ａが差込受部１４（特にこれの洗濯物出入口側先端部１４ａ）より外側に位置している。又、差込受部１４は、その突出部分に上向き溝状の被差込部１７を有している。
【００１１】
更に、洗濯物出入口４の内方側に位置する差込受部１４の突端部、特に被差込部１７を挟んで対峙する両側部分の突端部であって、それの上下部には、それぞれ曲面状の面取り１８，１９，２０，２１を施している。なお、図８には、前記機本体１の内部に存する内蓋２２を示しており、この内蓋２２は、図示しない槽の上縁部に装着した槽カバーの開口部を開閉するものである。
【００１２】
又、上記差込受部１４の被差込部１７を挟んで対峙する両側部分のうちの、洗濯物出入口４側とは反対の側（右側）には、横方向に開通する孔２３を形成しており、この孔２３に係止部材２４をトップカバー３内より臨ませている。係止部材２４は棒状を成しており、更に、この係止部材２４の外側（トップカバー３内）には、図６及び図１に示すように、係止部材作動装置２５を配設している。この係止部材作動装置２５は、例えば電磁石装置であり、詳しくは図示しないが、これに通電することでアクチェータを作動させ、係止部材２４を突き出させる。又、この電磁石装置の通電を断つことにより、上記アクチェータによる係止部材２４の突き出しを解除して、復帰スプリングのばね力により係止部材２４を復帰させるようになっている。
【００１３】
次に、上記構成ものの作用を述べる。
まず、洗濯機の運転を開始する前、係止部材２４は復帰した位置にある。この状態から、例えば洗濯物出入口４より洗濯物を入れて、蓋５を閉鎖すると、被係止部１０が差込受部１４の被差込部１７に差込まれ、被係止孔１３を上記係止部材２４の先端部に対応させる。
【００１４】
そして、洗濯機の運転が洗濯行程から脱水行程へと進み、更に乾燥行程に至ると、係止部材作動装置２５が通電されることにより、係止部材２４が突き出され、その先端部が被係止部１０の被係止孔１３に挿入されて、該被係止部１０を係止する。かくして、蓋５も閉鎖状態に係止され、ロックされる。
なお、乾燥行程が終了すれば、係止部材作動装置２５が断電されることにより、係止部材２４が復帰されてその先端部が被係止部１０の被係止孔１３から抜け出、該被係止部１０の係止を解除する。かくして、蓋５も閉鎖状態の係止から解除されるので、開放させることができる。
【００１５】
このように本構成のものでは、差込受部１４に差込まれた被係止部１０を係止部材２４により係止することで、蓋５を閉鎖状態に係止（ロック）するもので、その差込受部１４を機本体１の洗濯物出入口４の縁部４ａに設けると共に、その洗濯物出入口４を縁部４ａが差込受部１４より外側に位置するように形成している。従って、従来の、差込受部を機本体の洗濯物出入口近くに設けたものと異なり、差込受部１４を設けるスペースを機本体１の洗濯物出入口４近くに確保する必要がなく、その分、洗濯物出入口４の大きさを大きくできる。よって、洗濯物の出し入れ性も良くすることができる。
【００１６】
又、本構成のものの場合、上記差込受部１４を機本体１の洗濯物出入口４の縁部４ａに設けたことに合わせて、蓋５をその洗濯物出入口４だけを覆う大きさ、形状としており、洗濯物出入口４以上の大きさ、形状にする必要がない。但し、これに限られるものでもなく、蓋５は、洗濯物出入口４だけを覆う大きさ、形状、又は洗濯物出入口４以上の大きさ、形状のいずれであっても良いものであり、それだけデザインの自由度が増す。
【００１７】
加えて、特に本構成のものの場合、差込受部１４は、突端部に面取り１８〜２１を施している。これにより、内蓋２２の開閉（その軌跡Ａを図８に二点鎖線で示す）の邪魔にならず、その分、内蓋２２の大きさ（これが開閉する槽カバーの開口部の大きさ）も大きくできて、洗濯物の出し入れ性をやはり良くすることができる。従って、この差込受部１４の面取り１８〜２１は、そのうちの下部の面取り１９，２１だけが施されていても良い。但し、全部の面取り１８〜２１によっては、洗濯物を出し入れする使用者の手、腕に対する当たりをやわらげる効果もある。
【００１８】
更に、差込受部１４は、機本体１とは別体の部品から成って、機本体１に装着されるものとしている。これにより、差込受部１４装着部品であるトップカバー３の成形が、差込受部１４の突出や孔２３の形成にスライド型を要さず、単に上下に分ける型で安価にできる。又、差込受部１４に代わって穴部１５を塞ぐ部品を用意するだけで、蓋５の閉鎖状態の係止の有無別の製品を作り分けることができる。
【００１９】
しかも、この場合、トップカバー３の成形については、穴部１５の有無を作り分けるのに、入れ子構造を採用することが可能で、蓋５の閉鎖状態の係止をしない製品では、入れ子の交換により穴部１５のない製品を作ることができ、穴部１５を塞ぐ部品を別途必要としないため、コストの低減ができる。又、この場合、スライド型を要さないため、スライド型の使用で発生しがちなバリ等もできず、外観品位を良くすることができる。
【００２０】
そして、被係止部１０も、蓋５とは別体の部品から成って、蓋５に装着されるものとしている。これにより、被係止部１０の装着の有無によって、蓋５の閉鎖状態の係止の有無別の製品を作り分けることができる。
しかも、被係止部１０と蓋５とが別体の部品であることにより、透明性などデザイン性を重視する蓋５に対して、被係止部１０には、蓋５を開けようとする使用者の力に係止部材２４による係止で抗する強度を充分に持たせる材質の採用が可能となる。
【００２１】
なお、被係止部１０は蓋５と、差込受部１４はトップカバー３（機本体１）と、それぞれ基本的には、一体の部分で構成しても良い。又、洗濯機全体としても、乾燥機能を具えないもので、例えば脱水時あるいは洗濯時に蓋５を係止するものであっても良い。
そのほか、本発明は上記し且つ図面に示した実施例にのみ限定されるものではなく、要旨を逸脱しない範囲内で適宜変更して実施し得る。
【図面の簡単な説明】
【００２２】
【図１】本発明の一実施例を示す平面図
【図２】上部の斜視図
【図３】蓋の被係止部装着前状態の拡大分解斜視図
【図４】蓋の被係止部装着後状態の拡大斜視図
【図５】蓋の被係止部部分の拡大縦断面図（図４のＸ−Ｘ線に沿う拡大断面図）
【図６】機本体の被差込部装着前状態の拡大分解斜視図
【図７】機本体の被差込部装着後状態の拡大斜視図
【図８】蓋の被係止部と機本体の被差込部部分の拡大縦断側面図
【符号の説明】
【００２３】
図面中、１は機本体、４は洗濯物出入口、４ａは洗濯物出入口の縁部、５は蓋、１０は被係止部、１４は差込受部、１７は被差込部、１８〜２１は面取り、２４は係止部材を示す。
【図１】
2006026276.tif 000003
【図２】
2006026276.tif 000004
【図３】
2006026276.tif 000005
【図４】
2006026276.tif 000006
【図５】
2006026276.tif 000007
【図６】
2006026276.tif 000008
【図７】
2006026276.tif 000009
【図８】
2006026276.tif 000010